(57)【要約】      （修正有）【課題】元の音声にエコー成分を付加し増幅してスピーカから出力し、前記エコー成分を付加することによって生じるハウリングの発生を抑え得る音声信号増幅装置において、低いレベルで均衡状態にあり、突然に発散して大きなハウリングになる可能性のあるハウリングの発生を回避させる。【解決手段】マイクロホン３からの入力の音声に係る電気信号のレベルをレベル検出部１０で検出させ、その検出の値が連続して同じの値であるか否かを判別部によって判別させ、その連続して同じ値が一定の期間続いているかをカウンタ部によってカウントさせ、予め設定した期間だけ同じレベルの検出結果が連続した場合には、制御信号出力部がディレイ信号生成回路７にディレイ信号の内容を変更させる制御信号を出力するように構成した。【選択図】図１
2007208880.tif 000002
【特許請求の範囲】
【請求項１】
音声を入力して電気信号に変換して出力するマイクロホンと、そのマイクロホンの後段の側に接続されてマイクロホンからの電気信号を入力し、エコー成分を作るために時間的に遅延させた電気信号を生成し出力するディレイ信号生成回路と、そのディレイ信号生成回路からの電気信号と前記マイクロホンからの電気信号の加算加工を行うミキサ回路と、前記ミキサ回路の後段に接続され、そのミキサ回路からの電気信号を所望のレベルに増幅するアンプと、そのアンプの後段に接続され、そのアンプからの電気信号を音声に変換して出力するスピーカが備えられ、
更に、上記マイクロホンの後段に接続され、そのマイクロホンからの電気信号のレベルを検出するレベル検出部と、そのレベル検出部の後段に接続され、そのレベル検出部の検出結果が予め設定した期間だけ一定の値である場合に、上記ディレイ信号生成回路に、そのディレイ信号生成回路が生成する遅延の電気信号を最初に設定した時間と異なる時間で遅延するように又は／及び遅延の電気信号の出力レベルを低く若しくはゼロになるように制御を行う制御部が備えられてなる音声信号増幅装置。
【請求項２】
レベル検出部のマイクロホンからの電気信号のレベルの検出を離散的に行っていて、連続する少なくとも３個の検出レベルの結果が同じである場合に、制御部がディレイ信号生成回路に、そのディレイ信号生成回路が生成する遅延の電気信号を最初に設定した時間と異なる時間で遅延するように又は／及び遅延の電気信号の出力レベルを低く若しくはゼロになるように制御を行う請求項１に記載の音声信号増幅装置。
【請求項３】
レベル検出部の検出結果が予め設定した値より大きい場合に、制御部がディレイ信号生成回路に、そのディレイ信号生成回路が生成する遅延の電気信号を最初に設定した時間と異なる時間で遅延するように又は／及び遅延の電気信号の出力レベルを低く若しくはゼロになるように制御を行う請求項１に記載の音声信号増幅装置。
【請求項４】
制御部が、マイクロホンからの電気信号のレベルの検出結果に基づいて、ディレイ信号生成回路が生成する遅延の電気信号を最初に設定した時間と異なる時間で遅延するように又は／及び遅延の電気信号の出力レベルを低く若しくはゼロになるように制御を行った後、マイクロホンからの電気信号のレベルの検出結果がその制御前の状態に戻ると、制御部はディレイ信号生成回路の前記制御を解除するように構成されてなる請求項１に記載の音声信号増幅装置。
【発明の詳細な説明】
【技術分野】
【０００１】
歌唱者が、記録媒体に基づいたバック演奏の音楽或いは電話回線を介しての音声信号に基づいたバック演奏の音楽に合わせて歌唱を行い、その歌唱の音声をマイクロホンで拾って電気信号に変換し、その電気信号を増幅してスピーカから拡声の音声で出力を行う、所謂、カラオケ演奏歌唱が知られている。
このカラオケ演奏歌唱を行っている際、歌唱者からの歌唱音声等がマイクロホンで拾われ、増幅されてスピーカから出力される。このスピーカから出力された歌唱の音声等が、壁、天井、人体等で反射され、結果的に、前述のマイクロホンに再び拾われて再増幅されて出力されることが繰り返される場合がある。
【０００２】
斯かる場合では、歌唱者等にとって望まない音声がより一層増幅され且つ連続的に出力されることになり、所謂ハウリング現象が生じることになる。
他方、歌唱者の歌唱音声をマイクロホンで拾って電気信号に変換し、それを単に増幅してスピーカから音声で出力するのではなく、歌唱者が発した元の音声（歌声）に係る電気信号に対して類似の電気信号を生成して時間的に僅かに遅延させて加算加工した後に増幅し、音声に変換して出力させることによって、出力される音声が恰も反響して得られるような音声が付加される、つまり、所謂エコーが掛かった音声の出力というものも広く知られている。
【０００３】
他方、エコーが掛かった音声では同じ音声が加算したエコー成分だけ出力されるので、加算の分だけ反射によってマイクロホンに拾われて、ハウリングの生じる可能性が高くなる。
そこで、マイクロホンで拾った音声にエコー成分を付加し且つ増幅して出力する際に、この付加するエコー成分によってハウリングが生じる可能性或いは生じていると考えられる場合には、マイクロホンによって入力音声から変換して得られた電気信号のレベルを検出し、その検出結果に基づいてハウリングが生じる可能性がある或いはハウリングが生じていると判別し、その判別に基づいてエコー成分の付加加工を制御することが行われる。
【０００４】
この発明は、入力音声にエコー成分を付加し増幅して出力する際に、入力音声に係る電気信号のレベルを検出し、その検出結果に基づいてハウリングの発生を判別し、ハウリングを回避するようにエコー成分の付加加工を制御し得る構成の音声信号増幅装置に関する。
特に、ハウリングが生じる可能性がある或いはハウリングが生じていることをマイクロホンからの電気信号のレベルの検出に基づいて判別することの改良に関する。
【背景技術】
【０００５】
スピーカからの音声に関しハウリングが生じる可能性がある或いはハウリングが生じていることをマイクロホンからの電気信号のレベルの検出に基づいて判別する発明として、以下の文献が知られている。
【０００６】
【特許文献１】特開平１０−１１１６９１号公報
【特許文献２】特開２００３−２５９４８０号公報
【発明の開示】
【発明が解決しようとする課題】
【０００７】
特開平１０−１１１６９１号公報で開示された発明「拡声装置」（以下、「先行技術発明１」と称する）は、レベル検出回路４３０における判定のレベルは、連続的に入力されて来るサンプルのうちＮ個のみについてそれらの値を二乗して加え合わせて得られる値に基づいて決定されている。
他方、特開２００３−２５９４８０号公報で開示された発明「ハウリング検出装置」（以下、「先行技術発明２」と称する）は、パワー増大判定カウンタ部１２３からのインクリメントしたカウンタ値及びパワー比較判定カウンタ部１３４からのインクリメントしたカウンタ値に基づいて、ハウリング判定部１１２がハウリングが発生したか否かを判定する構成になっている。
【０００８】
先行技術発明１は、ハウリングを防止するために、音声側のマイクロフォンＭＢに加えてスピーカ側にもマイクロフォンＭＡを備えている必要があり、音声信号のレベルを上記のレベル検出回路４３０で入力のサンプルの値に基づいて音声側のマイクロフォンＭＢのエコーをキャンセリングしてハウリングの回避を行うようにしている。
そして、先行技術発明１は、ハウリングが生じていることを検出してそれを防止させるために、音声側とスピーカ側にそれぞれマイクロフォンＭＡ、ＭＢを備え、スピーカ側のマイクロフォンＭＡからの集音に係る電気信号（サンプルの値）に基づいて音声信号レベルを判定している。
従って、先行技術発明１は、マイクロフォンＭＡを有するハウリング検出の系を備え、サンプルの値（データ）をＬＭＬ法で処理しており、構成が大掛かりで作動が複雑なレベル検出回路４３０を必要とするという問題がある。
【０００９】
他方、先行技術発明２は、前提として周波数パワー算出部１０によって複数の周波数信号を算出する必要があり、更に、ハウリング判定部１１２がハウリング発生の判定を行うにはパワー増大判定カウンタ部１２３及びパワー比較判定カウンタ部１３４からのインクリメントしたカウンタ値を必要としており、装置全体の構成が大掛かりであって装置の作動が複雑であるという問題がある。
又、これらの先行技術発明１及び２は勿論のこと、従来の知られているハウリングのキャンセリングに係る発明は、モニタ対象の電気信号のレベルがある値に対して大きいか小さいかの比較をすることによって、ハウリングが生じている又は生じていないの判別がなされていた。そして、その判別の結果に基づいて、ハウリングのキャンセリングを行っていた。
【００１０】
然るに、この発明の発明者も、当初、単にモニタ対象の電気信号のレベル、つまり、例えばマイクロホンが音声を拾って変換して出力する電気信号のレベルを検出し、その検出結果が設定した値よりも大きいか否かでハウリングが生じている又は生じていないと見なしていた。電気信号レベルの検出結果が、ハウリングが生じないと考えた低いレベルから突然に大きな値になってハウリングが生じる現象に気付き、この現象の詳細な観察を行った。
果たして、ハウリングが生じると考えて設定した値（以下、「ハウリング発生設定値」と称する）より検出結果が低い値であっても、急にハウリングが生じ、電気信号レベルの検出結果も突然にハウリングが生じるとハウリング発生設定値を超えて発散する場合は、電気信号レベルの検出結果がこのハウリング発生設定値より低いレベルであっても、一定のレベルが続いた後に極めて生じ易いことに気付いた。
【００１１】
このことから、マイクロホンは音声を拾って電気信号に変換して出力しているが、マイクロホンに入力がある時の電気信号は通常一定ということはなく常に変動していて、電気信号のレベルが一定であるのは使用者の耳には気にはならない低いレベルで既にハウリングが生じており、使用環境の変化によってそのハウリングのレベルが突然に発散する性質があることが判った。
つまり、例えば、ハウリングが生じるモニタ対象の電気信号のレベルを３０６０ｍＶと設定している場合に、その時のモニタ対象電気信号のレベルが２３００ｍＶである音声であっても、スピーカからの音声が反射して再びマイクロホンに拾われて増幅され続け、結果的に低いレベルながらもハウリングが生じていて、モニタ対象の電気信号のレベルが２３００ｍＶという値を保持させている場合があることを観察した。
【００１２】
斯かる場合では、ハウリングの状態が均衡を保っていて、スピーカからの出力が発散を起こしてはいないが、マイクロホンが拾う音声のレベルの変化等によって突然に出力レベルが大きくなり、その出力レベルがスピーカからの出力とマイクロホンによる音声の拾いによって更に増幅されて結果的に大きなハウリングを引き起こす可能性を持っている。
この発明は、上述したハウリングの発生のプロセスに鑑みて行ったものであって、ハウリングが生じることに対するセンシングはハウリングの回避対応の即答性からセンシング対象の電気信号に基づいて行うが、単にセンシング対象の電気信号のレベルと設定した値との比較によってのみ判別するのではなく、ハウリングが均衡状態で生じている場合に対しても回避させることが可能で、更に、装置の構成が簡便であるエコー成分付加機能を有する音声信号増幅装置を提供するものである。
【課題を解決するための手段】
【００１３】
この発明は、マイクロホンからの音声に係る電気信号のレベルが一定期間において連続して同じ値である場合にはハウリングの状態が発生していると見なして、斯かる状態を回避するように、元の音声に係る電気信号対するディレイ信号の生成・出力を変えるように構成した音声信号増幅装置である。
その詳細な構成は、音声を入力して電気信号に変換して出力するマイクロホンと、そのマイクロホンの後段の側に接続されてマイクロホンからの電気信号を入力し、エコー成分を作るために時間的に遅延させた電気信号を生成し出力するディレイ信号生成回路と、そのディレイ信号生成回路からの電気信号と前記マイクロホンからの電気信号の加算加工を行うミキサ回路と、前記ミキサ回路の後段に接続され、そのミキサ回路からの電気信号を所望のレベルに増幅するアンプと、そのアンプの後段に接続され、そのアンプからの電気信号を音声に変換して出力するスピーカが備えられ、
更に、上記マイクロホンの後段に接続され、そのマイクロホンからの電気信号のレベルを検出するレベル検出部と、そのレベル検出部の後段に接続され、そのレベル検出部の検出結果が予め設定した期間だけ一定の値である場合に、上記ディレイ信号生成回路に、そのディレイ信号生成回路が生成する遅延の電気信号を最初に設定した時間と異なる時間で遅延するように又は／及び遅延の電気信号の出力レベルを低く若しくはゼロになるように制御を行う制御部が備えられてなる音声信号増幅装置である。
【００１４】
つまり、この装置では、ディレイ信号に係る音声つまりエコー成分が元の音声を付加されるので、エコーの掛かった音声が得られている。しかし、そのエコー成分の音声、殊に複数のエコー成分の音声が周期的にスピーカから出力されると、その分だけマイクロホンに同じ音声が拾われてハウリングの生じる可能性が高まることになる。殊に、エコー成分の出力の周期が重なり合うと、その音声に基づいてマイクロホンがより一層大きな出力を発生させ、ハウリングの発生の虞が大きくなる。
これに対して、上記構成の発明における制御部は、音声の入力によって通常は常に変化している筈のマイクロホンからの電気信号のレベルが一定であれば、低いレベルながらもハウリングが生じていると見なして、ハウリングの原因を構成し得るエコー成分に係るディレイ信号の出力を制御する。
【００１５】
つまり、この発明は、マイクロホンで拾われて結果的に増幅された音声がスピーカから出力され、そのスピーカからの音声が前記マイクロホンに再び拾われて電気信号に変換され、その電気信号が再び増幅された際に、その増幅されて得られる電気信号にハウリングを生じさせる成分が含まれているか否かをその電気信号のレベルに基づいて検出し、ハウリングを生じさせる成分が含まれていると判別した場合には、元の音声にエコー成分を付加するタイミングをズラす又は／及びエコー成分の付加の程度を低くするように制御した音声信号増幅装置である。
【００１６】
尚、この発明の音声信号増幅装置において、レベル検出部からの電気信号レベルの検出結果に基づいてハウリングの発生回避のために制御部がディレイ信号生成回路に制御を行う検出結果が一定の値の期間は、具体的に、レベル検出部のマイクロホンからの電気信号のレベルの検出を離散的に行った場合に、連続する少なくとも３個の検出レベルの結果が同じである期間が挙げられる。
又、この発明の音声信号増幅装置は、勿論、レベル検出部の検出結果がハウリング発生設定値より大きい場合にも、ハウリングの発生を回避するように、制御部がディレイ信号生成回路に、遅延の電気信号を最初に設定した時間と異なる時間で遅延するように又は／及び遅延の電気信号の出力レベルを低く若しくはゼロになるように制御を行う構成になっている。
【００１７】
加えて、この発明の音声信号増幅装置は、制御部が、マイクロホンからの電気信号のレベルの検出結果に基づき、ハウリングの発生を回避するように、ディレイ信号生成回路が生成する遅延の電気信号を最初に設定した時間と異なる時間で遅延するように又は／及び遅延の電気信号の出力レベルを低く若しくはゼロになるように制御を行い、その後に、マイクロホンからの電気信号のレベルの検出結果がその制御前の状態に戻ると、制御部はディレイ信号生成回路の前記制御を解除するように構成されている。
【００１８】
斯かる構成の音声信号増幅装置は、ハウリング現象を回避するためにディレイ信号生成回路が制御を受ける前とは異なる時間で遅延させたディレイ信号又は／及び低いレベル若しくはゼロのディレイ信号を出力することになるので、元の音声に付加するエコー成分のズレ時間又は／及びエコー成分のレベルが変わるので均衡状態にある低いレベル状態のハウリングは回避されることになり、更に、低いレベル状態のハウリングに基づいて発散して生じるハウリングが回避されることになる。
【発明の効果】
【００１９】
この発明は、増幅すべき元の音声にエコー成分を付加する機能を備え、マイクロホンからの電気信号のレベルがある期間で一定状態であればその音声の出力状態から発散してレベルの大きいハウリングが生じる可能性が高いことから、マイクロホンからの電気信号のレベルがある期間で一定状態の際には元の音声に対してエコー成分を付加するタイミング又は／及び付加するエコー成分のレベルを変えることによって、ハウリングが生じることを回避させ得、且つ、構成が簡便な音声信号増幅装置である。
【発明を実施するための最良の形態】
【００２０】
この発明を、図面に示す最良の形態に基づき説明する。しかし、この形態によって、この発明が限定されるものではない。
音声信号増幅装置１は図１及び図２に示すように、再生プレーヤ２と、マイクロホン３と、マイクアンプ４と、ミュート制御回路５と、Ａ／Ｄ変換器６と、ディレイ信号生成回路７と、Ｄ／Ａ変換器８と、Ａ／Ｄ変換部９と、レベル検出部１０と、制御部１１と、操作部１２と、表示器１３と、ミキサ回路１４と、ミキサ回路１５と、アンプ１６及びスピーカ１７が備えられている。
【００２１】
再生プレーヤ２は、所望の記録媒体（図示省略）を再生することによって、歌唱者に対してバック演奏用のアナログの電気信号を出力するものであり、所謂カラオケ演奏と呼ばれている音声を生成する電気信号を出力するものである。
よって、再生プレーヤ２を出力させると、結果的に、スピーカ１７からバック演奏の音声の出力を得ることが可能になる。
尚、具体的な記録媒体としては、ＣＤ、ＭＤ、磁気テープ等が挙げられ、それぞれの記録媒体に対応する再生手段によって再生されるものである。
又、広義には、電話回線を介して音声データ受け取ってそれを再生する、いわゆる通信カラオケをも含むものである。
【００２２】
マイクロホン３は、カラオケ歌唱を行う歌唱者の音声が入力されると、その音声を電気信号に変換して出力するものである。
マイクアンプ４は、マイクロホン３の後段に接続されており、マイクロホン３からの電気信号を所定のレベルに増幅して出力するものである。
ミュート制御回路５は、 ＯＮの状態つまり機能の状態では、マイクロホン３から出力されマイクアンプ４で増幅されて入力されて来る電気信号をディレイ信号生成回路７の方向に送ることを遮断するものである。他方、ミュート制御回路５がＯＦＦの状態つまり機能解除の状態では、マイクロホン３から出力されマイクアンプ４を介して入力されて来る電気信号を単に通過させてディレイ信号生成回路７の方向に流れるように機能するものである。
【００２３】
Ａ／Ｄ変換器６は、ミュート制御回路５からのアナログの電気信号をデジタルの電気信号に変換して出力するものである。
ディレイ信号生成回路７は、マイクロホン３からの歌唱者の元の音声に係るデジタルの電気信号を入力すると、元の音声に対して付加すべきエコーを作るために、入力の時刻（初期の時刻）に対して時間的に遅延させた電気信号を出力するものである。
【００２４】
尚、ディレイ信号生成回路７は、元の音声に係る電気信号に対して、ディレイ信号を出力する時間、ディレイ信号のレベルが制御可能になっている。
音声信号増幅装置１におけるディレイ信号生成回路７からのディレイ信号の遅延時間は、具体的に、入力して来る音声に係る初期の時刻の電気信号つまり元の電気信号の出力の時刻に対して１２９ミリ秒（ｍｓ）〜２５１ミリ秒の範囲内で遅延させて出力するように構成されている。
ここで、この遅延時間の１２９ミリ秒〜２５１ミリ秒という値は、カラオケ歌唱を行う際にその元の歌唱の出力時に対して心地よく聞くことができる遅延成分の遅延時間を経験的に得た値である。しかし、必要に応じては、遅延の範囲をこの値に限定する必要はなく、適宜設定可能にすることが望ましい。
【００２５】
又、ディレイ信号生成回路７からのディレイ信号のレベルは、具体的に、入力して来る音声に係る電気信号のレベルに対して、−∞〜−３ｄＢの範囲で制御可能になっている。
ここで、入力音声に係る電気信号のレベルに対して最大で−３ｄＢという値は、エコー成分として元の音声に付加した際に、ハウリングが生じ難く且つその増幅されたエコー成分の付加を経験上最も強く感じ取れる値であることを意味している。
【００２６】
加えて、ディレイ信号生成回路７は、元の音声に係る電気信号つまり入力初期の電気信号に対して、唯一つの遅延の電気信号又は複数の遅延の電気信号を生成・出力することが可能に構成されている。つまり、ディレイ信号生成回路７が生成・出力するディレイ信号の数は選択可能な構成になっている。
その複数の遅延の電気信号は、例えば１２９ミリ秒〜２５１ミリ秒の範囲内で一定の間隔（遅延時間間隔）で第１波の遅延の電気信号、第２波の遅延の電気信号、第３波の遅延の電気信号、・・・・・を生成・出力することも可能であり（図２を参照）、隣接する遅延の電気信号の時間間隔をそれぞれ異なるように設定することも可能な構成になっている（図４を参照）。
【００２７】
つまり、音声信号アンプ１は、ディレイ信号生成回路７が複数の遅延の電気信号を生成して出力させる際に、その複数の遅延の電気信号をそれぞれ同じ周期性をもって生成・出力させることと互いに異なる時間間隔で生成・出力させることが可能になっている。
他方、音声信号増幅装置１において、ディレイ信号生成回路７は、元の音声に係る電気信号に対する第１波の遅延の電気信号、第２波の遅延の電気信号、第３波の遅延の電気信号、・・・・・の順に次に出力する電気信号を減衰させて生成・出力するように構成されている。
【００２８】
このディレイ信号生成回路７の生成・出力する第１波の遅延の電気信号、第２波の遅延の電気信号、第３波の遅延の電気信号、・・・・・の減衰の程度は、一定の割合又は一定の差で衰退させる（図３を参照）、及び、ある意図の下に特定のレベルで衰退させることが可能に構成されている（図４を参照）。
つまり、ディレイ信号生成回路７は具体的に、元の音声に係る電気信号に対して第１波の遅延の電気信号、第１波の遅延の電気信号に対して第２波の遅延の電気信号、第２波の遅延の電気信号に対して第３波の遅延の電気信号、・・・・・はそれぞれ−１２〜−３ｄＢで減衰可能である。
【００２９】
尚、音声信号増幅装置１の初期の状態では、ディレイ信号生成回路７は具体的に、元の音声に係る電気信号に対する第１波の遅延の電気信号を、第１波の遅延の電気信号に対する第２波の遅延の電気信号を、第２波の遅延の電気信号に対する第３波の遅延の電気信号を、・・・・・それぞれ−３ｄＢずつで減衰させるように設定されている。
他方、ディレイ信号生成回路７を機能させながら音声信号増幅装置１を使用している際にハウリングが生じると制御部１１が判別した場合には、つまり制御部１１からディレイ信号生成回路７に制御信号が送られると、ディレイ信号生成回路７は具体的に、元の音声に係る電気信号に対する第１波の遅延の電気信号を−３ｄＢ、第１波の遅延の電気信号に対する第２波の遅延の電気信号を−４ｄＢ、第２波の遅延の電気信号に対する第３波の遅延の電気信号を−２ｄＢ、第３波の遅延の電気信号に対する第４波の遅延の電気信号を−４ｄＢ、第４波の遅延の電気信号に対する第５波の遅延の電気信号を−３ｄＢだけそれぞれ減衰させるように設定されている。
【００３０】
又、遅延の電気信号が唯一つの場合であっても、元の音声に係る電気信号に対して任意の程度で減衰させることが可能になっている。
更に、遅延の電気信号の減衰の程度は、音声信号増幅装置１を使用する環境や音声信号増幅装置１からの出力音声を聞く者にとっての心地よさ等によって決まるものであるから、適宜設定することが望ましい。このことからも、ディレイ信号生成回路７の遅延の電気信号の減衰の程度を調節可能としていることは、大きな意味を持っている。
加えて、ディレイ信号生成回路７は、複数の遅延の電気信号を生成・出力する場合、隣接する遅延の電気信号同士の遅延時間と減衰の程度を組み合わせて設定することが可能な構成になっている。
【００３１】
Ｄ／Ａ変換器８は、ディレイ信号生成回路７からのデジタルの遅延された電気信号を入力してアナログの電気信号に変換し、ミキサ回路１４に出力するものである。
Ａ／Ｄ変換部９は、マイクアンプ４からアナログの電気信号を入力してデジタルの電気信号に変換し、レベル検出部１０に出力するものである。
レベル検出部１０は、マイクアンプ４からの音声に係る電気信号のレベル、つまり、結果的にはマイクロホン３が集音して拾った歌唱者の歌唱の音声に対応したレベルを検出し、ここで得られたレベル（値）を制御部１１に送るものである。
【００３２】
ここで、マイクロホン３から入力されマイクアンプ４で増幅された音声に係る電気信号は、レベル検出部１０にも入力されるが、ディレイ信号生成回路７の側にも入力される。従って、レベル検出部１０の入力信号のレベルの検出は、ディレイ信号生成回路７への電気信号のレベルをも検出することになる。
制御部１１は、判別部Ａ１８と、検出値保持部１９と、判別部Ｂ２０と、カウンタ部２１と、制御信号出力部２２及びメモリ２３が備えられている。
【００３３】
判別部Ａ１８は、レベル検出部１０から検出結果を受け、その検出結果がハウリングの生じるレベルと予め設定した値以上であるか否かの判別を行うものである。
ここで、判別部Ａ１８が、検出結果がハウリングが生じる値以上と判別した場合には、判別部Ａ１８は、制御信号出力部２２に制御信号出力のための信号を送る。他方、判別部Ａ１８が、検出結果がハウリングが生じる値以上と判別しなかった場合には、判別部Ａ１８は、その検出結果を検出値保持部１９に送る。
【００３４】
検出値保持部１９は、判別部Ａ１８の後段に接続され、ハウリングが生じる値以上と判別されなかった検出結果を書き替え的に一時保持するものである。
判別部Ｂ２０は、検出値保持部１９の後段に接続され、検出値保持部１９に保持されている検出結果とその検出結果と連続して得られる検出結果が等しいか否かを判別するものである。
【００３５】
カウンタ部２１は、判別部Ｂ２０の後段に接続され、判別部Ｂ２０で連続している検出結果が等しいと判別された際にその数をカウントするものである。
制御信号出力部２２は、前述したように、判別部Ａ１８で検出結果が予め設定した値以上と判別されると判別部Ａ１８から制御信号出力の命令信号を受けて、ディレイ信号生成回路７にディレイ信号の生成・出力を変更するための制御信号を出力するものである。
又、制御信号出力部２２は、カウンタ部２１の後段に接続され、カウンタ部２１においてカウントした連続して等しい検出結果の値の数が予め設定した数に到った際には、同様に、ディレイ信号生成回路７にディレイ信号の生成・出力を変更するための制御信号を出力するものである。
【００３６】
メモリ２３は、判別部Ａ１８で検出結果を判別する基準となる値及びカウンタ部２１で検出結果が連続して等しい値であって制御信号出力部２２に制御信号を送ることを命令する基準となる数が記憶されている。
メモリ２３の記憶内容は、操作部１２から設定することが可能になっている。
又、Ａ／Ｄ変換部９、レベル検出部１０及び制御部１１は、１個のマイコンに組み込まれる構成が挙げられる。
【００３７】
加えて、制御部１１は、レベル検出部１０の検出の値（レベル）が予め設定した値より大きいと判別し、この判別に基づいてディレイ信号生成回路７に制御信号を送って遅延の電気信号の生成・出力の内容に制御を行っても、レベル検出部１０の検出の値が予め設定した値よりも大きく発散が生じる可能性を示す場合には、マイクアンプ４からＡ／Ｄ変換器６への電気信号の流れを停止するようにミュート制御回路５にＯＮとなる制御信号を送るものである。
尚、制御部１１は、レベル検出部１０の検出の値（レベル）が予め設定した値より大きいと判別し、ディレイ信号生成回路７に制御信号を送って制御を行っても、レベル検出部１０の検出の値が予め設定した値よりも大きく発散の状態を示す場合には、ミュート制御回路５をＯＮとさせることの代わりに、ディレイ信号生成回路７の遅延の電気信号の出力レベルを０となるように制御する構成であってもよい。斯かる構成では、ミュート制御回路５を除くことが可能になる。
【００３８】
但し、ディレイ信号生成回路７の遅延の電気信号の出力レベルの可変範囲が大きければ大きいほどディレイ信号生成回路７の構成及び制御内容が煩雑になる場合があるので、遅延の電気信号の出力レベルを０とさせる手段としてミュート制御回路５とディレイ信号生成回路７のいずれを用いるかは適宜選択することが望ましい。
ここで、レベル検出結果に対する予め設定した値というのは、マイクロホン３が集音した歌唱者の音声を電気信号に変換して出力する際、その電気信号のレベルの値は具体的に３ｍＶに設定されている。
【００３９】
尚、この電気信号のレベルの値は、この装置を使用する環境例えばカラオケルームの広さ、カラオケ歌唱を行う者の所望などにより、１〜１４０ｍＶの範囲で任意に設定可能な構成になっている。
マイクロホン３からの電気信号のレベルが３ｍＶである場合には、マイクアンプ４で増幅されてミキサ回路１４、ミュート制御回路５及びＡ／Ｄ変換部９へ出力される電気信号のレベルは増幅されて、２１０ｍＶになっている。
【００４０】
ここで、Ａ／Ｄ変換部９が入力された電気信号は、デジタルの電気信号に変換されてレベル検出部１０に送られ、レベル検出部１０はそのレベルの値を制御部１１に送ることになるが、制御部１１においての比較判別を正確・厳密に行い得るように、３０００ｍＶに増幅させて制御部１１に送られる構成になっている。
つまり、制御部１１でのマイクロホン３からの電気信号のレベルは増幅されて判別に使用されるが、制御部１１はその増幅に対応して実質的なレベルの判別を行い得るように構成されている。
【００４１】
尚、レベル検出部１０と制御部１１の間には、斯かる増幅を行うアンプ手段が介在されているが、図面では省略されている。又、斯かる増幅機能を行うアンプ手段は、Ａ／Ｄ変換部９の前段に接続される構成であってもよい。
従って、制御部１１は、レベル検出部１０の側からの電気信号のレベルを検出する際に、理論的には、前記の３０００ｍＶより大きいか否かによってスピーカ１７からの音声が再びマイクロホン３によって拾われて結果的に信号のレベルの値を大きくしているか否かを比較判別することになる。
【００４２】
しかしながら、スピーカ１７からの音声が反射されてマイクロホン３に拾われて再び音声信号で出力することは、壁が完璧な消音壁ではない通常のカラオケルームにおいては常にと言ってよいほど大いに考えられることである。
ここで重要なことは、その時に生じるハウリングがカラオケの歌唱者やその場に居合わせている者に対して不愉快に感じる程度以下であればよいということであって、音声信号増幅装置１では経験上許容の範囲の２％だけ大きい値、つまり、３０６０ｍＶを予め設定した値としている。つまり、メモリ２３には、ハウリングが生じると判別する値として３０６０ｍＶが記憶されている。
【００４３】
但し、この装置を使用する環境等によって、ハウリングの生じる可能性もハウリングが生じた際のその程度も変化し、又、カラオケ歌唱を行う者及びそこに居合わせた者にとってのハウリングへの知覚程度が個別的に大いに異なるから、この余裕を示す２％という値も操作部１２から制御部１１のメモリ２３に任意に設定可能な構成になっている。
尚、ここで言うハウリングが生じて不愉快を感じることとは、マイクロホン３、スピーカ１７等を含む装置全体の置かれている環境が使用中に変化することによって、つまり、例えば歌唱者が移動したり衝立の位置が変化すること等によって、スピーカ１７、音声反射物、歌唱者の持っているマイクロホン３の相対的な位置関係が変化することになり、途中からハウリングが生じない状態に変化することに対して余裕を持たせていてもハウリングが強く作用する程度であることを意味する。
【００４４】
他方、ハウリングの発生を極力避けた状態を望む場合には、音声信号増幅装置１を使用する環境が大きく左右するが、レベル検出部１０の検出結果に対する制御部１１の判別の値をより低くするように設定すればよい。
制御部１１は、操作部１２からの入力内容に基づいて、ディレイ信号生成回路７に、マイクアンプ４からミキサ回路１４に流れる元の電気信号（マイクロホン３が音声を電気信号に変換して初期時刻で出力する電気信号）に対してどの程度時間を遅延をさせるか？、一つの電気信号に対して複数の遅延の電気信号を生成して出力する場合に何個の遅延の電気信号を生成させるか？、元の電気信号に対して遅延の電気信号の減衰量はいくらか？、を設定するための制御信号を送る。
【００４５】
音声信号増幅装置１は、制御部１１の判別部Ａ１８で検出結果がハウリングの生じるレベルに到っていないと判別されても、つまり、具体的には検出レベルが３０６０ｍＶより低い値であっても、低いレベルでハウリングが発生し続けていて、突然にそのハウリングのレベルが発散する場合を回避するために、レベルの検出結果が一定期間で一定であればディレイ信号生成回路７からのディレイ信号の生成・出力を変更させる構成になっているが、この一定期間は操作部１２から制御部１１のメモリ２３に任意に設定可能な構成になっている。
音声信号増幅装置１では、レベル検出部１０のマイクロホン３からの電気信号のレベルの検出を離散的に行っており、具体的には連続する少なくとも３個の検出レベルの結果が同じである場合に、制御部１１がディレイ信号生成回路７に、ディレイ信号生成回路７が生成する遅延の電気信号（ディレイ信号）の内容を変更する構成になっている。
【００４６】
制御部１１は、諸機能の現状を表示するように、表示器１３に表示内容のドライブ信号を出力するものである。
表示器１３は、制御部１１からの制御信号に基づいて、諸機能の現状を表示するものである。
ミキサ回路１４は、マイクアンプ４からの音声に係る元の電気信号と、Ｄ／Ａ変換器８を介してのディレイ信号生成回路７からの遅延された電気信号を加算加工、所謂ミックスして、元のカラオケ歌唱の音声に係る電気信号に対してエコー成分の音声に係る電気信号つまりディレイ信号を加えるものである。
【００４７】
ミキサ回路１５は、ミキサ回路１４からのエコー成分が付加されたカラオケ歌唱の音声に係る電気信号と再生プレーヤ２からの歌唱のバック演奏に係る電気信号を加算加工し、アンプ１６に送るものである。
アンプ１６は、ミキサ回路１５からのエコー成分を含む音声に係る電気信号とバック演奏に係る電気信号を入力して所定のレベルに増幅し、スピーカ１７に送るものである。
スピーカ１７は、アンプ１６からのアナログの電気信号を入力して音声に変換して出力するものである。
【００４８】
音声信号増幅装置１は、上述したように構成されている。以下において、その機能を説明する。
使用者つまりカラオケの歌唱者は、操作部１２を操作して装置全体の主電源をＯＮにする。続いて、歌唱時に所望のエコー状態を得るように、操作部１２から制御部１１を介してディレイ信号生成回路７に、マイクアンプ４からの初期の信号に対してどの程度の時間遅延をさせるか？、遅延の電気信号の出力の回数を何回に設定するか？、遅延の電気信号の減衰のレベルをいくらにするか？、のための値を設定する。
更に、制御部１１の判別部Ａ１８が判別の基準となる値（３０６０ｍＶ）と、カウンタ部２１で低いレベルのハウリングが生じてレベルが均衡の一定の状態である期間に相当する時間（５個）を、操作部１２からメモリ２３に入力設定する。
【００４９】
ここで、ディレイ信号生成回路７から生成されるディレイ信号は、具体的には図３に示すように、歌唱者のカラオケ歌唱の音声がマイクロホン３に拾われる初期の時刻に対応する電気信号に対して１９９ミリ秒後に生成・出力され且つレベルが−３ｄＢだけ低い第１の遅延の音声に係る電気信号、その第１の遅延の音声に係る電気信号に対して１９９ミリ秒後に生成・出力され且つレベルが−３ｄＢだけ低い第２の遅延の音声に係る電気信号、その第２の遅延の音声に係る電気信号に対して１９９ミリ秒後に生成・出力され且つレベルが−３ｄＢだけ低い第３の遅延の音声に係る電気信号、その第３の遅延の音声に係る電気信号に対して１９９ミリ秒後に生成・出力され且つレベルが−３ｄＢだけ低い第４の遅延の音声に係る電気信号、その第４の遅延の音声に係る電気信号に対して１９９ミリ秒後に生成・出力され且つレベルが−３ｄＢだけ低い第５の遅延の音声に係る電気信号、・・・・・が生成されて出力されるように設定を行う。
尚、この時、この歌唱者は、表示器１３からその設定した遅延に係る電気信号の内容を確認することができる。
【００５０】
続いて、レベル検出部１０からの検出結果を制御部１１の判別部Ａ１８が３０６０ｍＶを越えていると判別する場合に、又は、レベル検出部１０からの検出結果が３０６０ｍＶより小さい値であるが、その検出結果が連続的に同じ（一定）であると判別部Ｂ２０が判別し且つカウンタ部２１が５回連続して続くとカウントした場合に、制御部１１の制御信号出力部２２がディレイ信号生成回路７にエコー付加の内容を変更する制御信号を出力するが、ディレイ信号生成回路７がその制御信号に基づいて遅延の音声に係る電気信号を、図４に示すように、最初に設定した内容とは異なる内容の遅延の電気信号を設定する。
加えて、ディレイ信号生成回路７がこの異なる内容の遅延の電気信号を生成・出力しても、レベル検出部１０の検出結果が３０６０ｍＶを越えて発散し、結果的に、ハウリングが生じて耳障りになって行く或いは耳障りであると判別された場合に対して、つまり、レベル検出１０からの検出結果が３０６０ｍＶ以上であり続ける場合に対し、制御部１１がミュート制御回路５に作動つまりＯＮとなる制御信号を送るように、設定を行う。
【００５１】
ここで、カラオケ歌唱者は、マイクロホン３を持ってスタンバイ状態とし、再生プレーヤ２を操作して所望のバック演奏（カラオケ演奏）を出力させる。
この時、再生プレーヤ２からのバック演奏に係るアナログの電気信号がミキサ回路１５に送られ、更に、アンプ１６で所望のレベルに増幅されてスピーカ１７に送られ、スピーカ１７から音声となってバック演奏の音声が出力される。
【００５２】
カラオケ歌唱者は、再生プレーヤ２から電気信号に基づくバック演奏の音声がスピーカから流れると、スピーカ１７からのそのバック演奏に合わせて歌唱（カラオケ歌唱）を始める。
ここで、マイクロホン３は、歌唱者からカラオケ歌唱の音声を拾ってアナログの電気信号に変換し、マイクアンプ４に送る。
マイクアンプ４は、その歌唱に係る電気信号をミキサ回路１４、ミュート制御回路５及びＡ／Ｄ変換部９に送る。
【００５３】
ミキサ回路１４は、マイクアンプ４から、出力時刻がマイクロホン３に拾われた初期の時刻であって、カラオケ歌唱の音声に係るアナログの電気信号を入力する。
他方、ミュート制御回路５は、マイクアンプ４からの出力時刻が上記初期時刻であるカラオケ歌唱の音声に係るアナログの電気信号を受けるが、制御部１１がミュート制御回路５にＯＮの制御信号を送っていないので、前記の受けたアナログの電気信号を遮断することなくそのまま通過させてＡ／Ｄ変換器６に送る。
【００５４】
更に、Ａ／Ｄ変換部９は、マイクアンプ４からの上記初期時刻に出力の歌唱音声に係るアナログの電気信号を受けると、デジタルの電気信号に変換してレベル検出部１０に送る。
ここで、レベル検出部１０は、Ａ／Ｄ変換部９からの電気信号のレベルを検出し、その検出結果（レベルの値）を制御部１１に送る。
制御部１１では、判別部Ａ１８がレベル検出部１０からの検出結果が設定した値（３０６０ｍＶ）よりも大きいか否かを判別する。検出結果がその設定した値に到っていない場合には、検出値保持部１９に送られる。
【００５５】
尚、この時点では音声信号増幅装置１が作動の初期の状態なのでスピーカ１７からの音声がマイクロホン３に拾われることがなく、装置全体が正常に機能していれば、レベル検出部１０の検出結果は予め設定した値より大きい場合は生じない。
又、初期の状態のミュート制御回路５は、遮断機能が解除、つまり、マイクアンプ４からの電気信号をそのまま通過させてＡ／Ｄ変換器６に送るように機能している。
【００５６】
従って、マイクアンプ４からミュート制御回路５に流れた音声に係るアナログの電気信号は、Ａ／Ｄ変換器６でデジタルの電気信号に変換され、ディレイ信号生成回路７に送られる。
ディレイ信号生成回路７は、Ａ／Ｄ変換器６からのデジタルの電気信号を入力すると、マイクロホン３から出力される初期時刻の信号、つまり、マイクアンプ４からミキサ回路１４に入力される電気信号に対して、操作部１２によって設定した時間だけ実質的に遅延させ且つ設定したレベルの設定した数のディレイ信号（デジタル信号）をマイクアンプ４からの元の音声に係る電気信号に基づいて生成し、Ｄ／Ａ変換器８に出力する。
【００５７】
つまり、詳細には、実質的にマイクロホン３がカラオケの音声を拾った初期の時刻に対して１９９ミリ秒だけ遅延され且つレベルが−３ｄＢだけ低い第１の遅延の音声に係る電気信号、その第１の遅延の音声に係る電気信号に対して１９９ミリ秒だけ遅延され且つレベルが−３ｄＢだけ低い第２の遅延の音声に係る信号、その第２の遅延の音声に係る電気信号に対して１９９ミリ秒だけ遅延され且つレベルが−３ｄＢだけ低い第３の遅延の音声に係る電気信号、その第３の遅延の音声に係る電気信号に対して１９９ミリ秒だけ遅延され且つレベルが−３ｄＢだけ低い第４の遅延の音声に係る電気信号、その第４の遅延の音声に係る電気信号に対して１９９ミリ秒だけ遅延され且つレベルが−３ｄＢだけ低い第５の遅延の音声に係る電気信号を、ディレイ信号生成回路７は生成してＤ／Ａ変換器８に出力する。
【００５８】
Ｄ／Ａ変換器８は、ディレイ信号生成回路７からの前記デジタルの５個のディレイ信号を入力するとそれぞれをアナログの遅延の電気信号（エコー成分に係る電気信号）に変換し、ミキサ回路１４に送る。
ここで、ミキサ回路１４は、共にマイクロホン３によって拾われて音声から電気信号に変換されていることを共通としているが、マイクアンプ４からの初期の時刻に出力されるアナログの電気信号とＤ／Ａ変換器８を経由しディレイ信号生成回路７によって遅延されたアナログの５個の電気信号を加算加工（ミックス）して、ミキサ回路１５に送る。
【００５９】
ミキサ回路１５は、ミキサ回路１４からの歌唱音声に係る加算加工されたアナログの電気信号つまりエコー成分相当の遅延の電気信号が付加されたアナログの電気信号と再生プレーヤ２からのバック演奏用のアナログの電気信号とを加算加工（ミックス）し、アンプ１６に送る。
アンプ１６は、ミキサ回路１５からの加算加工されたアナログの電気信号を受け取ると、所定のレベルに増幅し、スピーカ１７に送る。
【００６０】
スピーカ１７は、アンプ１６からのアナログの電気信号を受け取ると、音声に変換して出力する。
つまり、スピーカ１７は、マイクロホン３からのカラオケ歌唱者の歌唱の音声とこの歌唱の音声に対して遅延させてエコー成分を構成し得る歌唱に係る音声、及び、再生プレーヤ２からのバック演奏に係る音声を出力する。
【００６１】
このスピーカ１７が音声を出力している際に、その音声の一部が部屋の壁や天井等に当たって反射し、その反射によって送られて来る音声（以下、「反射による音声」と称する）がマイクロホン３によって拾われる場合がある。
ここで、マイクロホン３は、この反射による音声を拾うと、カラオケ歌唱の音声と共にアナログの電気信号に変換してマイクアンプ４に送る。
マイクアンプ４は、反射による音声及びカラオケ歌唱の音声に係る電気信号を所定通りに増幅し、ミュート制御回路５、Ａ／Ｄ変換部９及びミキサ回路１４に送る。
【００６２】
Ａ／Ｄ変換部９は、反射による音声及びカラオケ歌唱の音声に係るアナログの電気信号をデジタルの電気信号に変換してレベル検出部１０に送る。
ここで、レベル検出部１０は、反射による音声及びカラオケ歌唱の音声に係るデジタルの電気信号のレベルを検出し、その検出結果を制御部１１に送る。
制御部１１の判別部Ａ１８は、反射による音声とカラオケ歌唱の音声に係る加算されたデジタルの電気信号のレベルの値をレベル検出部１０から受け取り、その値と予め設定している値（３０６０ｍＶ）との大小比較の判別を行う。
【００６３】
ここで、反射による音声、つまり、スピーカ１７から出力され反射されて結果的にマイクロホン３によって拾われる音声が十分に小さい音声である場合には、その反射による音声に係る電気信号のレベルは、マイクロホン３によって一緒に拾われたカラオケ歌唱の音声に係る電気信号のレベルの値に比して小さい場合となり、判別部Ａ１８はレベル検出部１０からの検出結果は予め設定した３０６０ｍＶよりも小さいと判別し、その値を検出値保持部１９に送る。
検出値保持部１９は、判別部Ａ１８からの検出結果を書き替え的に一時保持し、その値を判別部Ｂ２０に送る。
【００６４】
判別部Ｂ２０は、検出値保持部１９からの検出結果（値）を連続的に受け取り、連続している検出結果同士が等しいか否かの判別を行う。判別部Ｂ２０は、連続する検出結果が互いに等しいと判別すると、その旨をカウンタ部２１に送る。
カウンタ部２１は、判別部Ｂ２０からの互いに等しい連続する検出結果の数をカウントし、その数が５に到るか否かを判別する。
【００６５】
ここで、図５に示すように、レベル検出部１０での検出レベル（検出結果）が上昇し、３０６０ｍＶまで到らずに下降し、その後にほぼ２３００ｍＶのレベルで一定となってその状態が離散値で５個分に対応する時間分連続すると、カウンタ部２１は その旨を制御信号出力部２２に伝える。
制御信号出力部２２は、カウンタ部２１からのカウント結果に基づいて、ディレイ信号生成回路７にディレイ信号の生成・出力を変更するための制御信号を出力する。
【００６６】
ここで、ディレイ信号生成手段７は、制御部１１の制御信号出力部２２からの制御信号を受けると、生成・出力するディレイ信号を図３に示す内容から図４に示す内容に変更する。
従って、結果的には、ミキサ回路１４において、元の音声に係る電気信号に対し、図３で示す内容のディレイ信号ではなく図４で示す内容のディレイ信号が加算加工されることになる。
よって、ミキサ回路１５は、ミキサ回路１４から斯かるアナログの電気信号と、再生プレーヤ２からバック演奏に係るアナログの電気信号をそれぞれ受け取り、それらの二つのアナログ信号を加算加工してアンプ１６に送る。
【００６７】
この時、このミキサ回路１５の加算加工によって、初期時刻の反射による音声及びカラオケ歌唱の音声に図４に示す内容に対応したエコー成分の音声にバック演奏が付加された音声に係るアナログの電気信号がアンプ１６に送られることになる。
アンプ１６は、ミキサ回路１５からの上記音声に係るアナログの電気信号を所定通りに増幅してスピーカ１７に送る。
スピーカ１７は、アンプ１６からの音声に係る増幅されたアナログの電気信号を音声に変換して出力する。
【００６８】
ここで、音声信号増幅装置１の使用環境、つまり、スピーカ１７からの音声が反射されてマイクロホン３に拾われ、更に再び増幅される系を構成する音声の反射に係る環境が一定であれば、スピーカ１７からの音声がマイクロホン３に拾われるが、制御部１１からディレイ信号生成回路７に制御信号を送った後では、元の音声に付加しているエコー成分の遅延の時間とレベルが異なるので、低いレベルで発生していた均衡的なハウリングの状態が解消されることになる。
従って、この均衡的なハウリングの状態が解消されるので、このハウリングの状態から突然に発散して大きなハウリングが生じるという虞を回避することができている。
【００６９】
他方、制御部１１の判別部Ａ１８で、検出結果が３０６０ｍＶ以上と判別されると、同様に、制御信号出力部２２からディレイ信号生成回路７にディレイ信号を図３に示す内容から図４に示す内容に変更するための制御信号が出力される。
従って、上述したと同様に、音声信号増幅装置１の使用環境、つまり、スピーカ１７からの音声が反射されてマイクロホン３に拾われ、更に再び増幅される系を構成する音声の反射に係る環境が一定であれば、スピーカ１７からの音声がマイクロホン３に拾われても、制御部１１からディレイ信号生成回路７に制御信号を送った後では、元の音声に付加しているエコー成分の遅延の時間とレベルが異なるので、エコー成分に基づくハウリングの状態が解消されることになる。
【００７０】
又、この時、最初に設定したディレイ信号は図４に示す内容に変更になっているが、結果的に、この内容のディレイ信号がアナログ信号となってミキサ回路１４において元の音声に係る電気信号に付加されるので、エコー成分が付加されることになり、エコー成分が全く付加され音声がスピーカ１７から出力される場合に比して、カラオケを楽しむ者にとって心地よい音声を聞くことになる。
更に、制御部１１において、ハウリングが生じる虞がないと判別すると、制御信号出力部２２はディレイ信号生成回路７に、ディレイ信号を図４で示す内容から図３で示す内容に戻すための制御信号を出力する。
ここで、ディレイ信号生成回路７は、図３で示す内容のディレイ信号を出力する状態に復帰する。
【００７１】
他方、ディレイ信号生成回路７からのディレイ信号を図３に示す内容から図４に示す内容に変更しても、制御部１１の判別部Ａ１８及びカウンタ部２１がハウリングが生じる虞があると判別した場合、制御信号出力部２２は、少なくともミュート制御回路５にＯＮつまり遮断の制御信号か、ディレイ信号生成回路７にディレイ信号の生成を停止の制御信号を出力する。
ここで、ディレイ信号はミキサ回路１４に送られないから、結果的に、ミキサ回路１４で元の音声にディレイ信号は加算されず、ミキサ回路１５に送られる。
【００７２】
ミキサ回路１５は、再生プレーヤ２からの演奏信号とカラオケ歌唱の音声信号を加算加工し、アンプ１６に送る。
アンプ１６は、ミキサ回路１５からの電気信号を所望のレベルに増幅してスピーカ１７に送り、スピーカ１７はアンプ１６からの電気信号を音声に変換して出力する。
ここで、スピーカ１７から出力される音声は、エコー成分が付加されていないから、その音声が反射によって再びマイクロホン３に拾われて、同じ音声が更に増幅されて音声出力されてハウリングが生じるという事態は発生し難い。
【００７３】
尚、ディレイ信号生成回路７の遅延の電気信号の生成・出力の停止は、上述したように、ミュート制御回路５の制御によって行っているが、ディレイ信号生成回路７の出力停止つまりディレイ信号の生成又は／及び出力の停止を行うことによっても可能である。
又、ミュート制御回路５はディレイ信号生成回路７の前段の側に接続されているが、ディレイ信号生成回路７の後段の側に接続された構成であってもよい。
【００７４】
ここで、音声信号増幅装置１は、ハウリングが生じる虞がある場合に、それの回避をマイクアンプ４からの電気信号のレベルの検出に基づいて行っており、その為の手段の構成は簡便であり、作動もシンプルになっている。よって、斯かる構成の音声信号増幅装置１では、エコー付加機能を備え、そのエコーによるハウリングの発生の回避について、装置その物の製造が簡便になっている。
又、音声信号増幅装置１は、低いレベルであって急に発散して大きなハウリングになる虞のある均衡状態のハウリングを低いレベルの状態で解消させているので、大きなハウリングが生じる虞が回避できている。
【００７５】
音声信号増幅装置１では、ディレイ信号生成回路７への制御信号の出力が、制御部１１のカウンタ部２１が検出結果のレベルが一定であってその期間を５個の離散値に対応する時間である場合になっているが、使用環境、検出結果の離散値の離散間隔の設定等によって適宜設定するのがよい。
又、音声信号増幅装置１では、レベルの検出をデジタル量で行っているがアナログ量でもよく、アナログ量でレベル検出を行う場合には検出値保持部１９をアナログ量に対応するものに使用することになる。
【００７６】
音声信号増幅装置１では、図３及び図４から明らかに、ディレイ信号生成回路７が制御部１１によって制御される前と制御された後では、ディレイ信号の出力の回数は同じ５回ずつであるが、ハウリングを強く回避させるように制御の前に対して後ではディレイ信号の数を少なくするように構成してもよい。
音声信号増幅装置１は、ディレイ信号生成回路７が複数のディレイ信号を生成・出力させているが、唯一つのディレイ信号を生成・出力する構成であってもよい。
【００７７】
この場合、ディレイ信号生成回路７が生成・出力するその唯一つの遅延の信号は、最初に設定した遅延の時刻に対して時間をズラして又は／及び出力レベルをより一層下げて出力することになる。斯かる内容のディレイ信号によるエコー成分は、スピーカ１７からの音声が反射によってマイクロホン３に帰還しても最初のエコー成分の内容と異なっているので、ハウリングが生じ難くなる可能性が高くなっている。
音声信号増幅装置１は、レベル検出部１０からの検出結果が制御部１１に予め設定した値と比較・判別され、制御部１１が予め設定した値より大きいと判別してディレイ信号生成回路７に遅延の電気信号の内容を変更させ、ハウリングの虞が回避されると、ディレイ信号生成回路７からの遅延の電気信号の内容を最初に設定した内容に戻すように機能している。
【００７８】
音声信号増幅装置１は、上述したように、ハウリングが生じることを回避した後、ディレイ信号生成回路７が生成・出力するディレイ信号の内容を最初に設定した内容（図３に相当）に戻すように制御部１１が制御を行う構成を挙げている。
しかし、元の音声に最初に設定した内容のエコー成分を付加すると、再び、ハウリングの生じる虞が高い確度である場合には、ディレイ信号生成回路７が生成するディレイ信号の内容を最初に設定した内容に戻すことのないように制御部１１が制御を行うように構成するとよい。
【図面の簡単な説明】
【００７９】
【図１】この発明の最良の実施の一形態の構成を説明するブロック図である。
【図２】図１に示すブロック図の制御部の構成を説明するブロック図である。
【図３】図１に示す最良の実施の形態において、ディレイ信号生成回路が制御部によって制御される前の時間経過とディレイ信号の出力の関係を説明するグラフである。
【図４】図１に示す最良の実施の形態において、ディレイ信号生成回路が制御部によって制御された後の時間経過とディレイ信号の出力の関係を説明するグラフである。
【図５】図１に示すこの発明の音声信号増幅装置の検出結果であるレベルと時間の関係を示すグラフである。
【符号の説明】
【００８０】
１          ：音声信号増幅装値
２          ：再生プレーヤ
３          ：マイクロホン
４          ：アンプ
５          ：ミュート制御回路
７          ：ディレイ信号生成回路
１０        ：レベル検出部
１１        ：制御部
１４，１５  ：ミキサ回路
１７        ：スピーカ
【図１】
2007208880.tif 000003
【図２】
2007208880.tif 000004
【図３】
2007208880.tif 000005
【図４】
2007208880.tif 000006
【図５】
2007208880.tif 000007